(57)【要約】【課題】物品をその大きさや個数に対応して好適に袋詰め包装することができる包装材を提供する。【解決手段】シート材１の片面における対向する側端辺に沿ってそれぞれ接着剤２を塗布してあり、好ましくは、シート材１は長尺に連続されており、このシート材１における片面の長手方向に沿う側端辺に沿って前記接着剤を塗布してある。【選択図】図１
2015231849.tif 000002
【特許請求の範囲】
【請求項１】
シート材の片面における対向する側端辺に沿ってそれぞれ接着剤が塗布されている、
ことを特徴とする包装材。
【請求項２】
前記側端辺は、前記シート材の長手方向に沿って延び、前記シート材の幅が一定である、
請求項１に記載の包装材。
【請求項３】
長尺の前記シート材が、ロール状に巻回されている、
請求項１または２に記載の包装材。
【請求項４】
前記長手方向に沿って延びる前記側端辺と略直交する方向に沿って前記シート材を切り取るための破断部が形成されている、
請求項２または３に記載の包装材。
【請求項５】
前記破断部が、ミシン目、型押し線、ノッチ、及び、切り込みの少なくともいずれか一つから構成される請求項４に記載の包装材。
【請求項６】
前記シート材が前記ロール状に巻回されてなるシートロールが、ケースに収納され、該ケースには、前記シートロールから繰り出したシート材をケース外方に引き出すシート導出部に、前記シート材を切断する切断刃が設けられる、
請求項３に記載の包装材。
【請求項７】
前記シート材が、枚葉シートである、
請求項１または２に記載の包装材。
【請求項８】
前記接着剤が自着性の接着剤である請求項１ないし７のいずれかに記載の包装材。
【発明の詳細な説明】
【技術分野】
【０００１】
本発明は、各種の物品を袋詰め包装するのに利用することができる包装材に関する。
【背景技術】
【０００２】
物品を収納する包装袋としては、扁平な封筒状のものや、マチ付きのもの（例えば、特許文献１参照）などが利用されている。
【先行技術文献】
【特許文献】
【０００３】
【特許文献１】実用新案登録３０５００６７号公報
【発明の概要】
【発明が解決しようとする課題】
【０００４】
完成した袋として提供される包装袋は、その大きさが決まっているので、大きさが種々の物品を袋詰め包装したり、物品の個数を異ならせて袋詰め包装するような場合には、大きさの異なる多種類の包装袋を用意しておく必要がある。
【０００５】
本発明は、このような点に着目してなされたものであって、物品をその大きさや個数に対応して好適に袋詰め包装することができる包装材を提供することを主たる目的とする。
【課題を解決するための手段】
【０００６】
上記目的を達成するために、本発明では、次のように構成している。
【０００７】
（１）本発明に係る包装材は、シート材の片面における対向する側端辺に沿ってそれぞれ接着剤が塗布されている。
【０００８】
本発明によると、シート材を、前記接着剤が塗布されている前記側端辺に沿う方向に対して、直交する方向に折り目が形成されるように二つ折りにして重ね合わせることによって、前記折り目で包装袋の下端が構成され、対向する側端辺の一方の側端辺同士が重ね合わされて前記接着剤で接合されて、包装袋の一方の側端が構成されると共に、対向する側端辺の他方の側端辺同士が重ね合わされて前記接着剤で接合されて、包装袋の他方の側端が構成され、これによって、下端、及び、前記接着剤でそれぞれ接合された両側端を有する、上端が開口した包装袋を簡単に形成することができる。
【０００９】
（２）本発明の好ましい実施態様では、前記側端辺は、前記シート材の長手方向に沿って延び、前記シート材の幅が一定である。
【００１０】
この実施態様によると、幅が一定のシート材を、長手方向の中間を折り目として二つ折りして重ね合わせることによって、対向する側端辺の一方の側端辺同士が重ね合わされて前記接着剤で接合されると共に、他方の側端辺同士が重ね合わされて前記接着剤で接合されて、上端が開口した包装袋を簡単に形成することができる。
【００１１】
（３）本発明の他の実施態様では、長尺の前記シート材が、ロール状に巻回されている。
【００１２】
この実施態様によると、ロール状に巻回されたシート材を繰り出し、物品の大きさに応じた任意の長さに切断して二つ折りすることで、所望の深さの包装袋を形成することができる。また、必要な分だけ切り取って使用するので無駄がなく経済的となる。
【００１３】
（４）本発明の更に他の実施態様では、前記長手方向に沿って延びる前記側端辺と略直交する方向に沿って前記シート材を切り取るための破断部が形成されている。
【００１４】
この実施態様によると、破断部によって、シート材をその長手方向に略直交する方向に沿って切り取ることができるので、鋏やカッターナイフを用意する必要がない。
【００１５】
（５）上記（４）の実施態様では、前記破断部を、ミシン目、型押し線、ノッチ、及び、切り込みの少なくともいずれか一つで構成してもよい。
【００１６】
この実施態様によると、ミシン目、型押し線、ノッチ、切り込み、あるいは、それらを組合せた破断部によって、シート材を、その長手方向に略直交する方向に沿って簡単に切り取ることができる。
【００１７】
（６）上記（３）の実施態様では、前記シート材が前記ロール状に巻回されてなるシートロールを、ケースに収納し、該ケースには、前記シートロールから繰り出したシート材をケース外方に引き出すシート導出部に、前記シート材を切断する切断刃を設けてもよい。
【００１８】
この実施態様によると、ケースのシート導出部から引き出したシート材を、切断刃で任意の長さに切断することができ、鋏やカッターナイフを用意する必要がなく簡単にシート材を切断して所望の深さの包装袋を形成することができる。
【００１９】
（７）本発明の他の実施態様では、前記シート材が、枚葉シートである。
【００２０】
この実施態様によると、枚葉シートを１枚ずつ二つ折りにして接合するだけで、同種の包装袋を形成することができ、同種の物品を多数包装するような場合に便利となる。
【００２１】
（８）本発明の好ましい実施態様では、前記接着剤が、自着性の接着剤である。
【００２２】
この実施態様によると、シート材の片面に塗布された接着剤は、接着剤同士は接着するが、他物へは接着しない自着性の接着剤であるので、長尺のシート材を巻回する場合、あるいは、枚葉のシート材を積層する場合に、シート材同士が接着剤によって接着することがない。
【発明の効果】
【００２３】
このように、本発明によれば、必要なときに簡単に包装袋を形成して、大きさの異なる各種物品や個数の異なる物品を好適に袋詰め包装することができる。
【図面の簡単な説明】
【００２４】
【図１】本発明の一実施形態の包装材の斜視図である。
【図２】図１の包装材を用いた包装袋の形成過程を示す斜視図である。
【図３】図１の包装材を用いて形成した包装袋の斜視図である。
【図４】図３の包装袋の封止形態の例を示す斜視図である。
【図５】図１の包装材の提供形態の一例を示す斜視図である。
【図６】図１の包装材の使用形態の一例を示す斜視図である。
【図７】包装材の他の実施形態を示す斜視図である。
【図８】本発明の他の実施形態の包装材の斜視図である。
【図９】本発明の更に他の実施形態の包装材の斜視図である。
【図１０】本発明の他の実施形態の包装材の斜視図である。
【図１１】包装材の別実施形態を示す斜視図である。
【図１２】包装材の他の実施形態を示す斜視図である。
【図１３】他の包装形態を示す斜視図である。
【発明を実施するための形態】
【００２５】
以下、本発明の実施の形態について図面を参照しながら説明する。
【００２６】
図１に、本発明に一実施形態に係る包装材が示されている。この実施形態の包装材は、幅が一定の連続した長尺のシート材１を、ロール状に巻回したシートロール１Ｒの状態でユーザーに提供される。ユーザーは、シートロール１Ｒから繰り出したシート材１を所望の長さに切断し、切断した矩形のシート材１で包装袋を後述のように形成して物品を袋詰め包装する。
【００２７】
前記シート材１は、適当幅の紙や樹脂フィルムなどの適宜素材で形成されており、その巻き込み内側となる片面における幅方向に対向する側端辺に沿って接着剤２が、例えば、数ｍｍ程度の幅で帯状に塗布されている。この接着剤２が塗布されている片面とは、反対側の面、すなわち、巻き込み外側となる片面には、シリコン等からなる離型層が形成されている。帯状の接着剤２は、側端辺から多少の間隔をあけて塗布されてもよい。
【００２８】
上記構成の包装材は、以下のようにして物品の包装に利用される。
【００２９】
ユーザーは、シートロール１Ｒからシート材１を繰り出し、収納する物品の大きさや長さに応じた任意の長さに切断する。この切断した矩形のシート材１を、図２に示すように、その両側端辺の中点同士を結ぶ中間線、すなわち、シート材１の長手方向に直交する方向の中間線を折り目として、接着剤２が塗布された側を内側にして二つ折りして重ね合わせる。これによって、対向する側端辺の一方の側端辺同士が、接着剤２で接合すると共に、他方の側端辺同士が、接着剤２で接合することで、図３に示すように、一端（図では上端）が開口された包装袋３を形成することができる。
【００３０】
このように形成された包装袋３に物品を収納することになるが、必要に応じて開口端を粘着テープなどで封止する。
【００３１】
図５に示すように、シート材１を巻回してなるシートロール１Ｒを、フック付きの箱形のケース５に収納して提供することで、店頭に吊下げ展示して販売することができるとともに、ユーザー側においても汚損なく保管することができる。この場合、裏面が粘着面に形成された封緘用のシール片４を複数枚貼付け支持した剥離台紙６を、シートロール１Ｒと共にケース５に収納してセットで提供するとよい。
【００３２】
前記シール片４は、例えば、図４（ａ）に示すように、包装袋３の開口端に跨るように貼付けたり、あるいは、図４（ｂ）に示すように、折り返した開口端部に貼付ける、等して使用することができる。
【００３３】
この構成によると、形成した包装袋３に物品を収納して、その開口端を封止したい場合、接着テープが手元に無くても、添付されているシール片４を用いて簡単に封止することができる。特に、バラ物などを包装する場合、開口端を折返してシール片４を貼付けるとよい。
【００３４】
シートロール１Ｒをケース５に収納して提供する場合、図６に示すように、ケース５の全長に亘って揺動開閉可能に装備した開閉カバー５ａの遊端側のシート導出部に、鋸歯状の切断刃７を付設しておくことで、開閉カバー５ａを潜ってケース外に引き出したシート材１を、鋏やカッターナイフを要することなく任意の位置で切断することができる。
【００３５】
図７に示すように、シート材１の外側となる面に、シート幅方向に沿った罫線８をシート長手方向に小ピッチで形成しておくと、シート材１をシート長手方向と直角に切断する目安とすることができる。
【００３６】
また、鋏やカッターナイフを使用することなく、シートロール１Ｒからシート材１を引き出して、シート材１の長手方向に直交する方向に沿って切り取ることができるように、図８に示すように、前記直交する方向に沿う両端に、破断部としての切り込み１０を、長手方向に沿って所要のピッチで対向するように形成してもよい。あるいは、図９に示すように、切り込み１０に換えてノッチ１１を形成してもよい。また、図１０に示すように、シート材１の長手方向に直交する方向に沿って型押し線１２を所要のピッチで形成し、型押し線１２に沿ってシート材１を切り取ることができるようにしてもよい。型押し線１２に換えてミシン目を形成してもよく、ミシン目や型押し線１２と、切り込み１１０やノッチ１１を組合せてもよい。
【００３７】
更に、シート材１を、１軸延伸の樹脂フィルムで構成する場合には、延伸方向を、シート材１の幅方向、すなわち、前記直交する方向とすることによって、直交する方向に沿ってシート材１を切り取ることが容易となる。この場合、前記ノッチ１１や切り込み１０と組合せるのが好ましい。
【００３８】
[他の実施形態]
本発明は、以下のような形態で実施することもできる。
【００３９】
（１）シート材１の素材としては、透明あるいは半透明の樹脂フィルム、非透明の各種の紙材や樹脂フィルム、など、任意の素材を使用することができる。また、任意の厚みの素材を使用することができ、シート材１の外表面に任意の意匠や着色を施すことで、見栄えのする包装を行うことができる。
【００４０】
（２）シート材１を、防水性、気密性、伸縮性、スポンジ等の緩衝性、あるいは、断熱性等に優れたシート素材、あるいは、それらシート素材を組合せて構成することができる。
【００４１】
（３）幅の異なった複数種のシート材１を提供することで、各種大きさの物品に対応することができる。
【００４２】
（４）シート材１は必ずしもロール状に巻回して提供するのに限られるものではなく、例えば図１１に示すように、適当長さに裁断した枚葉状態のシート材１を複数枚積層して提供することもできる。この場合、形成される包装袋３の深さはシート材１の長さの半分となるが、シート材１を切断してその長さを短くすることで、深さの小さい包装袋３を形成することも可能である。
【００４３】
（５）シート材１を予め決められた寸法の枚葉状態で提供する場合、図１２に示すように、シート材１の長さ方向両端辺の内側面にも接着剤２'を帯状に塗布しておくことで、二つ折り接合して物品９を挟込み収納した後、その開口端を、接着剤２'を介して貼合せ封止することが可能となる。また、図１３に示すように、物品９を挟んで互いに内向きに配置した２枚のシート材１を接合して貼り合せることで、全周を接合封止した包装を行うこともできる。
【００４４】
この場合、シート材１を、防水性及び気密性に優れたシート素材で構成することによって、食品や水分を含んだ物品や流動性を有する物品などを密封包装することができる。
【００４５】
（６）接着剤２，２'として、他物への接着性はほとんどなく、接着剤同士が接合されると強い接着力（例えば、１ｋｇ/２５ｍｍ程度）を発現する自着性の接着剤を使用してもよい。この場合、シート材１をロール状に巻回しても、あるいは、図１１のように枚葉のシート材１を積層してもシート材１同士が接着することがなく、したがって、上記実施形態のように、離型層を形成する必要がない。
【符号の説明】
【００４６】
１              シート材
１Ｒ            シートロール
２              接着剤
３              包装袋
４              シール片
５              ケース
７              切断刃
１０            切り込み
１１            ノッチ
１２            型押し線
【図１】
2015231849.tif 000003
【図２】
2015231849.tif 000004
【図３】
2015231849.tif 000005
【図４】
2015231849.tif 000006
【図５】
2015231849.tif 000007
【図６】
2015231849.tif 000008
【図７】
2015231849.tif 000009
【図８】
2015231849.tif 000010
【図９】
2015231849.tif 000011
【図１０】
2015231849.tif 000012
【図１１】
2015231849.tif 000013
【図１２】
2015231849.tif 000014
【図１３】
2015231849.tif 000015